(57)【要約】【課題】1  巻き尺ホルダとペンホルダが別の所にあって不便であった。従来のペンホルダは、ヘルメットに装着されヘルメット着用者に限定されており、その構造が前と後の太さが同じ書く物だけしか収納出来なかった。また、ふたが付いてある書く物は、使用する度にふたを開けたり閉めたりする不便があった。2  従来の巻き尺ホルダは、巻き尺を収容部に入れる度にロックされ出すのが難しかった。【解決手段】1  ベルト用巻き尺ホルダとペンホルダを一体化することで、不便を解消する同時にヘルメット着用者に限定された問題点を解決する。ペンホルダの構造はペンを挟むのような形で垂直に収納することでペンの前と後の太さが違う物を収納可能にして解決する。また、ペンホルダ収容部の下部をペンのふたを固定出来るように設計して問題を解決する。2  巻き尺ホルダの収容部を半ロック状態に収納出来るようにして出し入れを簡単にする。【選択図】図1
2007232670.tif 000002
【特許請求の範囲】
【請求項１】
ベルト用巻き尺ホルダとベルト用ペンポルダの間に連結部を設置して巻き尺ホルダとペンホルダを一体化したことを特徴とするベルト用巻き尺とペン兼用ホルダ（図1, 図2, 図3 参照。）。
【請求項２】
巻き尺ホルダに関して、巻き尺に付着しているベルトクリップ（図87-10参照）を外して（巻き尺生産時係合部材の一部または全部を巻き尺のケ−スに一体成型する場合も包含）そこに係合部材を装着して巻き尺を収納する時巻き尺の係合部を図11のように多数（5〜8個）の丸形突出部を形成して、本体の収容部にはスプリング作用によって弾力性を持つ可動突出部を設置して巻き尺をホルダの収容部に入れた時、係合部の丸形突出部に圧力を掛けるようにして結果的にホルダに入れた巻き尺が半ロック状態になり巻き尺ホルダをロックしなくても巻き尺が外されないように考案して、また、ベルト通孔部の上部にはロック装置をして高所作業等危険な場所でも使用可能に設計したことを特徴とする巻き尺ホルダ（図17参照。）。
【請求項３】
巻き尺ホルダに関しては、巻き尺に付着しているベルトクリップを利用して巻き尺を収納する時ベルト通孔部の上部にロック装置をして巻き尺がホルダから外されないように考案したことを特徴とする巻き尺ホルダ（図2-4参照。）。
【請求項４】
巻き尺ホルダに関して、巻き尺に付着しているベルトクリップを利用して巻き尺を収納する時通孔部の側面にロック用レバ（図74参照）を設置して巻き尺がホルダから外されないようにしたことを特徴とする巻き尺ホルダ（図3-4、図6-4参照。）。
【請求項５】
ペンホルダに関して、収容部の下部にマジックペンのふたを固定する装置をすることでマジックペン（油性ペン類を通称する）を使用する度にそのふたを開閉する不便を解決したことを特徴とするベルト用ペンホルダ（図77-2a、図81参照。）。
【請求項６】
ペンホルダに関して、ペンホルダの収容部に弾力性を持つプラスチックを楕円形でそれぞれ反対方向に向かうようにして、ペンをホルダの収容部にいれた時そのペンを挟むような、形になりペンが収容部に安定して立つように設計したことを特徴とするベルト用ペンホルダ（図76参照。）。
【発明の詳細な説明】
【技術分野】
【０００１】
本発明は、衣服用ベルト、安全ベルトに装着して巻き尺とペンを簡単着脱できるように考案した巻き尺ホルダとペンホルダに関するものである。
【背景技術】
【０００２】
従来、建築現場工場等作業場では、巻き尺とペン（以後印等を付ける為の油性ペン、鉛筆、色鉛筆などをペンと通称する）は幅広く使用しており、作業人にとっては重要な道具であった。
【０００３】
この為、その道具の場合においては、袋等の収納具をベルト等に装着し、その中に使用する道具を収納して作業を行っているのである。しかし、袋等の収納具に巻き尺とペンを入れてその道具を使用するにはいろいろ不便と問題点があるのでその問題点を解決する為の課題、手段、効果を「巻き尺」と「ペン」に分けて説明しようとする。
〔巻き尺に関して〕
【発明の開示】
【発明が解決しようとする課題】
【０００４】
巻き尺は、普段、前述のようにベルトに装着した袋の中に入れて作業をするか、それとも、自分のポケットに入れて作業を行っているのですが、その袋等の中には、いろいろほかの工具も入っているので、手袋をはめている作業人にとっては、巻き尺の出し入れが難くなってしまい大変不便であった。
【０００５】
この為、巻き尺を袋等に入れて使用する事なく、巻き尺に設けられている、ベルト引掛用ベルトクリップ（図87-10参照）や巻き尺ホルダを適宜に使用し、その不便を解決しようとしているが現状では巻き尺に設けられているベルトクリップや一部の巻き尺ホルダはロック状態に保持することが出来ず、よって巻き尺の落下は回避されていないのである。
【０００６】
最近、前述の短所を補完してロックが出来るように考案した物が何種類ありますがそれらの物は入れるたびにロックされてしまいその巻き尺を出す為には、また、アンロックして出すことになっているので不便を完全に解決するのが出来ながったのである。
【０００７】
具体的に、図88、図89のような物はロックされたら落ちる危険性は無い反面、巻き尺を出す時必ず指を押しながら巻き尺を引っぱりあげる方法で設計しており、簡単に着脱が出来ない短所があるのである。(図88、図89共に樹脂材料を射出成型して形成した物で、図88は4部分がロック装置なので上部を両指で内側に押したら阻止部を超えるのでロック解除になるのである。図89は、係合部9を収容部に入れたらロック装置に当たる可動突出部の4に阻止されロックになるのである。それを、またアンロックする為には、親指を外側に押しなから巻き尺の係合部9を持ちよける構造になっているので、入れた巻き尺を出すのが簡単に出来ない短所があるのである。）。
【０００８】
本発明は、上述した問題点を鑑みてなされたもので、その問題点を解決する為には普段（一般的作業を行っている時）は半ロック状態で（大人がある程度の力を入れて巻き尺を出すことが出来る状態を半ロックに定義する）保持する事が出来るように考案したのである。しかし、作業の中では高所作業等危険作業もあるので半ロック状態と共にロック装置を設置することで、前述の欠点を解決しようとするものである。
【課題を解決するための手段】
【０００９】
本発明は、巻き尺に付着しているベルトクリップを外して、そこに固定する係合部を図11のように、丸形の突出部を5〜8個形成して、阻止部が3〜6か所生成するように設計し、また、巻き尺ホルダ部分は図15のように巻き尺に固定した係合部をはめるようにして、その収容部の内部を図16-11のように可動突出部を設置して、収容部に入れた巻き尺が外されないように抵坑力を持つことにすることと、ベルト通孔部の上部には図18-4、図19-4のようにロック装置を設置することで、問題点を解決している。
【００１０】
図2のように、ベルトクリップを利用してホルダを考案する時はまず収容部の上部を図63のようにして、巻き尺を収容部に入れる時、ベルトクリップに圧力をかけ巻き尺が外されないようにすることと、ベルト通孔部の上部には図2-4のように自動ロック装置を設置することで問題点を解決しようとすることである。
【００１１】
図3のように、ベルトクリップを使用してホルダを考案する時は、まずホルダの収容部の上部を図69-16のようにして、巻き尺を収容部に入れる時、ベルトクリップに圧力をかけ、巻き尺が外さないようにすることと、ベルトの通孔部の側面には図6-4のようにロック装置のレバを設置することで、問題点を解決することである。
【００１２】
巻き尺を生産する時、巻き尺に図8-9のような係合部を巻き尺ケ−スと一緒に一体成型することと、巻き尺ホルダ部分は図15、図17のように形成することで、問題を解決することである。
【００１３】
図3の巻き尺ホルダの場合、巻き尺の収容部を形成する時その収容部の長さを巻き尺より長く形成して作業人が座ったりする時巻き尺が下部からの圧力によって上部に上がって来てホルダから外されないようにして問題点を解決することである（図5参照。）。
【００１４】
図3の巻き尺ホルダの場合、ホルダの側面に図3-4のようにロック装置を設置することで巻き尺がホルダから外され落下することを防止することで、問題を解決しようと
する。
【発明の効果】
【００１５】
本発明は、商品の性格上どちらかの一つの方法で目的を達成するのではなく商品の多様化が必要だと思うのである。それは、巻き尺ホルダの必要性を感じて購買欲を持っている人がその時点既存の巻き尺を持っているのか持っていないのか、また、その人の職業、具体的に作業内容はどんなことであるかそれぞれの個人的事情によって、選択したい商品が違ってくるので本発明はそれに応じて考案したので、それぞれの長所、ほかの商品に比べて優れた点を区別して後述しようとする。
【００１６】
巻き尺に付着しているベルトクリップを外して、そこに、係合部材を固定して目的を実現する方法は（巻き尺生産時、係合部材を巻き尺のケ−スに一体成型することも包含）（図17、図18参照）半ロック状態で巻き尺をホルダに収納するので、従来のもの図88、図89参照)より巻き尺の着脱が簡単になっているので、（実際、建築現場で危険な高所作業を行っている鳶工が、本考案物に巻き尺を収納して、ロックしない状態で（半ロック状態で）一週間程使ってみたのですが、巻き尺が落ちてしまったと言う、例は無かったのである）作業能率を高めることが出来るのである。そのうえ、ロック装置も設置しているので、高所作業等危険な作業を行う作業人も安心して幅広く使用可能になっているのである。
【００１７】
巻き尺に付着しているベルトクリップをそのまま利用して目的を実現する図2の場合は付着しているベルトクリップ（図87-5a参照）をそのまま利用して目的の実現が可能ですから付いているベルトクリップを外したり新しい係合部をそこに、また付着したりする不便がないことである。また、ロック装置は収容部の上部の真中に設置しているのでロックを解除する時親指が肩から下の手首までの腕全体の力を受けるのでほかの物（図88、図89）のように両指を内側に力を入れるか、親指を外側に押しなから（図89参照）引っ張り上げる方法よりもっと楽に簡単に出すことが出来るのである。
【００１８】
巻き尺に付着しているクリップをそのまま利用して目的を実現する図3の場合は、ベルトクリップをそのまま利用して実現することで、得られる利点は上述と同じであるがこの考案はその収容部に巻き尺を入れた時収容部の上部にはめられる構造になっているので（図72参照）アンロック状態でも収納が可能になっているので巻き尺の着脱が簡単であるのである。また、この考案は高所作業等必要な時に使用可能なロック装置が設置されているので何の作業でも対応出来ることを特徴とするのである。
〔ペンホルダに関して〕
〔背景技術〕
【００１９】
建築現場工場等作業場では、ペンも巻き尺と共に幅広く使用しており作業人にとっては重要な道具であった。この為、ペンの場合においてはズボンのポッケト、安全ベルトに付いた袋等に入れて作業を行っていることである。
【００２０】
しかし、その袋等の中にはいろいろ、ほかの工具も入っているので、手袋をはめている作業人にとってはペンの出し、入れが難くなってしまい大変不便であった。
〔発明が解決しようとする課題〕
【００２１】
この為、ペンを袋等に入れて使用することなく 図90 のようにヘルメット等にホルダを装着してその問題を解決しているが、その方法にはヘルメットを着用している作業人に限定されていること、ペンの収容方法が 図91のように上部から下部に向けて横に収納することになっているので建築現場等、障害物の多い所ではペンが、何かに引っ掛かり落ちてしまう欠点、また、そのホルダの収容部が油性ペンなど普通の鉛筆より太い書く物（図93参照）とかペンの前と後の太さが違う書く物（図92参照）は収納出来ない構造であって鉛筆などの細くて前と後の太さが同じ書く物だけ収納できないなどの問題点があるのでそのホルダの使用範囲が極めて限定されている事である。実際、作業現場では書くものが作業人の職業によって限定されているのである。例を挙げると、建築現場で大工は板、角木などの仮枠を造る為の材料に印等を付けることで、ほかの作業人、鳶工、鉄筋工等に比べて相対的に精密な作業を行っている為に細い鉛筆みたいな書く物が、鳶工は、主にパイプ、ビデ、コンクリ−ト等に印等を付けることで図92のような太い物が鉄筋工は、主に鉄筋、コンクリ−ト等に印を付ける為に図93のような、太い油性ペンなどに限定されているのである。その理由で、前述したヘルメット用ペンホルダは、ヘルメット着用が義務されている建築現場でも大工に使用範囲が極めて限定されているのである。
【００２２】
建築現場で鳶工、鉄筋工等はその職業の性質上必ず太いマジックペンなどの油性ペンを使っているんですが、その道具の収納も従来のペンホルダには出来ないことは上述であるがそれに加えてペンの先端部にはふたが付いてあるのでふたを開けたり、閉めたりするのが大変不便なことであった。特に、鳶工の場合高所作業中、ふたを開けたり閉めたりするのは危険の要素も内在しているのである。（実際、現場で鳶工の場合、単管足場等の組立てを行っている場合、片手でも単管をつかんで体全体のバランスを取らないと危険な事もあるので、片手でマジックペンを取って、ふたは口でつかみ取ることもあるのである）。
〔課題を解決するための手段〕
【００２３】
この為本発明は、 図1、図2、図3 のように ペンホルダをベルト用巻き尺ホルダに連結部を設置、そこにペンボルダを固定することで前述のヘルメット使用者に限定された問題点を解決するのである。
【００２４】
本発明は、ペンホルダの構造をペンの上から下へまっすぐ入れるように設計して、ペンの先端部と後部の太さが違う書く物でも、収容出来るように考案して問題を解決しようとする（図1、図4参照）。
【００２５】
本発明は、ペンホルダの収容部をただ円筒形で形成するのではなく図76のように楕円形で樹脂材料で弾力性を持つようにそれぞれ反対方向に向かうように成型して、ペンをホルダに入れたらペンを挟むのような形に設計して、細い鉛筆から太い油性ペンまで収容出来るようにして問題点を解決しようとする。
【００２６】
本発明は、ペンホルダの下部に図79、図81のようにふたを固定する装置を形成してマジックペンなどの油性ペンを使う度にふたを開けたり閉めたりする不便を解決するのである。
【００２７】
本発明は、ペンホルダの下部に底部（図75-2b、図77-2b）を形成してペンが落ちないようにして、問題点を解決しょうとする。
〔発明の効果〕    
【００２８】
上述のようにベンホルダをベルトに装着することでヘルメット着用者に限定されたことが解決することができて一般作業者、事務所等、一般の人も使用できるのでその使用範囲がもっと広くなるのである。
【００２９】
それに加えてペンホルダの収容部を鉛筆みたいな細い書くものはもちろん、太いマジックペン類も収納できるようにして建築現場、一般作業場、事務所等何の作業でも 対応できるようにして、作業能率をもっと高めることになったのである。
【００３０】
本発明は、マジックペンなどの油性ペンの先端部のふた部分を固定することで使う度にペンのふた部分を開けたり閉めたりする不便を解消するとともにその過程の中でふたを亡くして油性ペンがかれてしまうことを防止することが出来るので作業能率を高めることが出来るのである。
【００３１】
本発明は、ペンホルダの収容部をペンを挟むような形で形成するので、ペンを、まっすぐ立つようにして、ペンをホルダから外されないようにすることでペンの落下防止の役割をするのである。
【００３２】
本発明は、ペンホルダの下部に底部（図75-2b  、図77-2b参照）を形成することで現場で何かに引っ掛かっでもペンが落ちないようにしたことを特徴とする。
【００３３】
本発明は、ペンホルダの入り口と中間部を入れたペンが自然に先端に固定したふたに誘導されるように形成することでペンの出し入れがもっと楽に出来るので作業の能率をもっと高めることが出来るのである（図77参照。）。
〔本発明の一番の特徴〕
【００３４】
上述のように、巻き尺ホルダとペンホルダの特徴等を記述したが、本発明の一番の 特徴は、巻き尺ホルダとペンホルダを一体化したことである。それに対して順序に記述しょうとする。
〔背景技術〕  
【００３５】
巻き尺とペンは、建築現場等、作業場では頻繁に使用するもので、その重要度は上述したとおりである。その中で、巻き尺とペンはほかの道具のように別個の役割をするものではなく相互不可分の関係にあるのである。例えば、大工の場合、巻き尺で寸法を測って、その寸法の通りに切る為に印を付けるのである。ほかの鳶工、鉄筋工もその方法で鳶工はパイプをクランプで固定するかその印を基準にして、ビデを組み立てるような作業を、鉄筋工はその印を基準にして鉄筋の問隔を決めて、固定するとかするのである。
〔発明の開示〕
〔発明が解決しようとする課題〕
【００３６】
その不可分の関係にあるものが別々の所に収納してあって作業が順序よく進められながったのである。それを巻き尺ホルダとペンホルダを一体化して問題を解決しようとするのである。
〔課題を解決するための手段〕
【００３７】
本発明は、ベルト用巻き尺ホルダとペンホルダの間に連結部を設置し、一体化することで目的を達成しょうとすることである（図1、図2、図3 参照。）。
〔発明の効果〕
【００３８】
本発明は、上述のように別々の所に収納してあった巻き尺とペンを同所に収納することで、巻き尺とペンの出し入れが連続動作となり作業人の作業能率をもっと高めることができるのである。
〔発明を実施するための最良の形態〕
【００３９】
以下、本発明の実施の形態を図面に基づいて順番に説明する。
【００４０】
図1の巻き尺ホルダはまず、本体（図22）を高い強度を持つ樹脂素材で一体成型してそこの22-13部分にスプリングを入れて可動突出部（図34）をセットした後、図30、図26をまたセットしてネジ締めをすること、この時、ペンホルダの連結部を入れる場合は図 26は図27-a(突出部分)をなくして、その部分にペンホルダの連結部を固定することで巻き尺とペンホルダを一体化する同時に収容部も形成することが出来るのである。
【００４１】
上述の巻き尺ホルダのロック装置はまず、図45を巻き尺ホルダの上部にネジで固定して（このロック装置の固定部分は上部のロック装置のように特殊プラスチックを使用しなくでもその役割（上部ロック装置を固定するための）を果たすことが出来るのであれば本体と一緒に一体成型することも出来るのである）その上に図42をはめて、最後に図38を入れて完成するのである、この時、図45の両側の真中には凹を、中間部図42の真中には図48のように凸を形成して一旦入れたら出ないようにすること、図38は図42に入れたら図42-15部分が図37-14部分に入って図41のように両側の陥没部分を越えることが出来なくなりロックの役割をすることである（図15、図19ロック状態、図16、図20ロックが解除状態、参照。）。
【００４２】
図2の巻き尺ホルダはまず、本体（図49）を樹脂素材で成型してその上部のスプリンク収容部にスプリングを入れて、そこにロック装置に当たる可動突出部（図60）を入れ、それを可動突出部のカバ-（図57）をセットしてネジを締めることで完成するのである。この時ロック装置とベルトクリップの間は、図52のように上部と側面共に３mm程隙間をおいて巻き尺に付いているベルトクリップを本体のクリップ掛けに掛ける時、ロック装置をわざと内側に押しながら入れることではなくベルトクリップの先端を本体の収容部に入れて下部に入れるだけで、出ていたロック装置が中に押し入れながら自然に入れるように設計することである。
【００４３】
0042の場合、本体を成型する時、巻き尺収容部の巻き尺クリップ掛け部（図52-16）は図63のように内側に3ｍｍ広さ12ｍｍで形成して、入れた巻き尺が安定して収容出来るようにしなければならないこと、それと共に収容部の長さは巻き尺より長く形成して作業人が座ったりしながら作業を行っている時も巻き尺が下部から上部に圧力を掛かって来ないようにすることも重要である。
【００４４】
図3の巻き尺ホルダは、まず、HａｉｒＩｉｎｅステンレスを図64のように折断して図64-ｂを90°、図64-aを35°、内側に折曲して図64-aは図69-16のように（厚さ3ｍｍ広さ12ｍｍ）手作業で曲げること。
【００４５】
図64-e部分は金型を造って図68-eのように折曲すること、この３ヵ所の折曲が終った段階で図64-c  図64-dを図68のように折曲することである。その後必要な溶接部分を溶接することである。この時図64-c部分は図64-bの90°折曲した部分が図64-dは既折曲した図64-e部分が障害になって、金型を造っても完全な型で折曲することが出来ないので、半分ぐらい金型で折曲して過程の一部は手作業が必要である。もちろん造った金型を利用して折曲が出来るように何等分することも一つの方法であるが、その代わりアルゴン溶接が増えて来ると共に商品も汚くなり、費用が高くなるので一部の手作業を入れる方がもっと経済的である。
【００４６】
ロック装置とペンホルダの連結部に当たる図65は、a（ロック装置）は図67-4のように折曲してb 部分は90°折曲すること（図71参照。）。
【００４７】
ペンホルダの連絡部に当たる図66はa、bともに90°折曲すること（図70参照。）。
【００４８】
溶接が終った本体（図68）に、連結部図65を溶接してそこにペンホルダの連結部（図75または、図78）を入れてネジを締めて、巻き尺ホルダとペンホルダの本体部を完成した後、ロック装置に当たる図74を図67-19にあわせて、リベット処理等をして固定することで全体を完成するのである。この時、図74は弾力性を持つ強度の高い樹脂材料で射出成型することで、図74-a部分は厚さ３ｍｍ程で成型して、ある程度弾力性を持つことにして、ロック・アンロックが簡単に出来るように設計することが大切な事である。
【００４９】
ペンホルダに関しては、使う書く物の太さ、油性ペンなどの先端部にふたが付いている物、色鉛筆、鉛筆などの先端部にふたが付いていない物があるので、大きく２種類に分けて形成することである。以下図面に基ついて順番に説明しようとする。
【００５０】
図77のマジックペンなどの先端部にふたが付いている、油性ペン等を収納する為のペンホルダはまず、巻き尺ホルダとペンホルダの連結部に当たる図78を本体の連結部図22-bに合わせて、突出部図27-aがない平面体図26を合わせてネジを締めて固定した後ホルダの下部に当たる図79をそこに締めて最後に、底部の図80を下から入れることで完成するのである。この時図78の下部と図79の上部は樹脂材料で射出成型する時ネジ式で設計して図78に図79を締める事が出来るようにすること、図79の下部の内側は凹形に底部である図80は上部の外側を凸にして、図79に図80をはめることが出来るように形成することである。図79はまず、形成した図82に図84を合わせてネジ処理した図86部分を入れて組立するのである。それを図81のように左右方向に回すことで、マジックペンなどの油性ペンのふた部分を締めたり、緩めたりすることが出来るのである。この時、図82、図84、図86は強度の高い特殊樹脂材料を使って射出成型することである。
【００５１】
色鉛筆、鉛筆などのふたが付いていない書く物を収納する為の図75のペンホルダは色鉛筆（直軽8ｍｍ程度）から普通の鉛筆、ボ−ルペンなどの書く物（直軽12ｍｍ程度）まで、収容が出来るように、入り口と中間部は図76のように楕円形で形成して、それぞれ反対方向になるようにして、ホルダに入れた書く物を挟むような形で形成することと、下部は図75-2bのように形成して、上下部からの圧力を受けても、ホルダから外されないように形成することである。
【図面の簡単な説明】
【００５２】
【図１】係合部材を利用した巻き尺ホルダと、ペンの先端部のふたを固定するペンホルダにマジックペンを収納した正面図。
【図２】ベルトクリップを利用した巻き尺ホルダとふたが付いてない書く物の為のペンホルダの斜視図。
【図３】ベルトクリップを利用した巻き尺ホルダと、ふたが付いていない書く物を収納する為のペンホルダの斜視図。
【図４】図1の巻き尺ホルダに巻き尺を収納して、またふたが付いていない書く物を収納する為のペンホルダに色鉛筆を収納した正面図。
【図５】図3に巻き尺と色鉛筆を装着した正面図。
【図６】図3のロック解除の状態をロック状態にした正面図。
【図７】図5をベルトに装着した正面図。
【図８】図11の係合部材を装着した巻き尺の斜視図。
【図９】巻き尺からベルトクリップを外した後の斜視図。
【図１０】係合部材の正面図。
【図１１】係合部材の背面図。
【図１２】係合部材の左側面図。
【図１３】係合部材の平面図。
【図１４】係合部材の穴の断面図。
【図１５】係合部材を利用した巻き尺ホルダのロック状態の正面図。
【図１６】図15のロック解除状態の正面図。
【図１７】図16に係合部材を入れた時の正面図。
【図１８】図16に係合部材を入れる時の正面図。
【図１９】図15のロック状態の平面図。
【図２０】図16のアンロック状態の平面図。
【図２１】図1の巻き尺ホルダの半ロック装置を設置した後の平面図。
【図２２】図1の巻き尺ホルダ本体の正面図。
【図２３】図22の平面図。
【図２４】図22の右側面図。
【図２５】図22の左側面図。
【図２６】図19の巻き尺ホルダの収納部（下部）の正面図。
【図２７】図26の背面図。
【図２８】図26の平面図。
【図２９】図26の右側面図。
【図３０】図1の巻き尺ホルダの収納部（上部）の正面図。
【図３１】図30の背面図。
【図３２】図30の平面図。
【図３３】図30の左側面図。
【図３４】図1の巻き尺ホルダのロック装置（可動突出部）の平面図。
【図３５】図34の左側面図。
【図３６】図34の背面図。
【図３７】図1の巻き尺ホルダの上部ロック装置の底面図。
【図３８】図37の側面図。
【図３９】図37の背面図。
【図４０】図37の正面図。
【図４１】図37-14の断面図。
【図４２】図1のロック装置（中間部）の正面図。
【図４３】図42の平面図。
【図４４】図38の平面図。
【図４５】図1の巻き尺ホルダのロック装置（底部）の平面図。
【図４６】図45の正面図。
【図４７】図45-aの断面図。
【図４８】図42の側面図。
【図４９】図2の巻き尺ホルダ本体の側面図。
【図５０】図49にロック装置を設置した後の側面図。
【図５１】図49の平面図。
【図５２】図50の平面図。
【図５３】図49のロック装置（底部）の平面図。
【図５４】図53の断面図。
【図５５】図50のロック装置のふた部分の平面図。
【図５６】図55の底面図。
【図５７】図55の正面図。
【図５８】図49のロック装置（可動突出部）を入れてふたをセットした後の正面図。
【図５９】図55の側面図。
【図６０】図52のロック装置（可動突出部）の底面図。
【図６１】図60の側面図。
【図６２】図60の正面図。
【図６３】図2-16の断面図。
【図６４】図3の巻き尺ホルダ本体の最初の切断後の平面図。
【図６５】図3の連結部の最初の切断後の平面図。
【図６６】図3の連結部の最初の切断後の平面図。
【図６７】図64を折曲した後連結部65を溶接した後の正面図。
【図６８】図64を折曲して溶接した後の側面図。
【図６９】図68のクリップ掛け部の側面図。
【図７０】図66を折曲した側面図。
【図７１】図65を折曲した後の底面図。
【図７２】図3の巻き尺ホルダの収容部に巻き尺を掛けた側面図。
【図７３】図72にロックをした側面図。
【図７４】図3のロック装置の正面図。
【図７５】ふたが付いてない鉛筆などの書く物の為のペンホルダの正面図。
【図７６】図75の平面図。
【図７７】ふたが付いてあるマジックペンなどの書く物の為のペンホルダの正面図。
【図７８】図77の上部の正面図。
【図７９】図77の下部の正面図。
【図８０】図77の底部の正面図。
【図８１】図79の書く物の先端部のふたを固定する時を表現した平面図。
【図８２】図79の本体の側面図。
【図８３】図79の本体の正面図。
【図８４】図79-aの平面図。
【図８５】図85の正面図。
【図８６】図79-bの斜視図。
【図８７】従来の巻き尺の斜視図。
【図８８】従来の巻き尺ホルダの正面図。
【図８９】従来の巻き尺ホルダの正面図。
【図９０】従来のペンホルダの実施図。
【図９１】従来のヘルメット用ペンホルダの側面図。
【図９２】ふたが付いてあるマジックペンの正面図。
【図９３】ふたが付いてある建築用蛍光ペンと鉛筆の実物対比図。
【符号の説明】
【００５３】
1    巻き尺ホルダの本体。
2    ペンホルダの本体。
2a   ペンホルダの下部（マジックペンなどのふたの固定部分）。
2b   ペンホルダの下部の底部。
2c   ペンホルダの上部と中間部の収容部。
3    巻き尺ホルダの収容部。
4    巻き尺ホルダのロック装置。
5    巻き尺。
5a   従来の巻き尺ベルトクリップの固定部。
6    巻き尺ホルダとペンホルダの連結部。    
7    鉛筆、色鉛筆、油性ペンなどの書く物。
8    ベルト通孔部。
9    係合部。
9a   強力両面接着テ-プ
10    巻き尺のベルトクリップ。     
11    半ロック装置の可動突出部。  
12    ロック装置の可動突出部。
13    スプリングの収容部。
14    凹  部。
15    凸  部。
16    巻き尺ホルダ収容部の上部（クリップ掛け部）。
17    タップ処理した穴。
18    皿とりした穴。
19    穴。
【図１】
2007232670.tif 000003
【図２】
2007232670.tif 000004
【図３】
2007232670.tif 000005
【図４】
2007232670.tif 000006
【図５】
2007232670.tif 000007
【図６】
2007232670.tif 000008
【図７】
2007232670.tif 000009
【図８】
2007232670.tif 000010
【図９】
2007232670.tif 000011
【図１０】
2007232670.tif 000012
【図１１】
2007232670.tif 000013
【図１２】
2007232670.tif 000014
【図１３】
2007232670.tif 000015
【図１４】
2007232670.tif 000016
【図１５】
2007232670.tif 000017
【図１６】
2007232670.tif 000018
【図１７】
2007232670.tif 000019
【図１８】
2007232670.tif 000020
【図１９】
2007232670.tif 000021
【図２０】
2007232670.tif 000022
【図２１】
2007232670.tif 000023
【図２２】
2007232670.tif 000024
【図２３】
2007232670.tif 000025
【図２４】
2007232670.tif 000026
【図２５】
2007232670.tif 000027
【図２６】
2007232670.tif 000028
【図２７】
2007232670.tif 000029
【図２８】
2007232670.tif 000030
【図２９】
2007232670.tif 000031
【図３０】
2007232670.tif 000032
【図３１】
2007232670.tif 000033
【図３２】
2007232670.tif 000034
【図３３】
2007232670.tif 000035
【図３４】
2007232670.tif 000036
【図３５】
2007232670.tif 000037
【図３６】
2007232670.tif 000038
【図３７】
2007232670.tif 000039
【図３８】
2007232670.tif 000040
【図３９】
2007232670.tif 000041
【図４０】
2007232670.tif 000042
【図４１】
2007232670.tif 000043
【図４２】
2007232670.tif 000044
【図４３】
2007232670.tif 000045
【図４４】
2007232670.tif 000046
【図４５】
2007232670.tif 000047
【図４６】
2007232670.tif 000048
【図４７】
2007232670.tif 000049
【図４８】
2007232670.tif 000050
【図４９】
2007232670.tif 000051
【図５０】
2007232670.tif 000052
【図５１】
2007232670.tif 000053
【図５２】
2007232670.tif 000054
【図５３】
2007232670.tif 000055
【図５４】
2007232670.tif 000056
【図５５】
2007232670.tif 000057
【図５６】
2007232670.tif 000058
【図５７】
2007232670.tif 000059
【図５８】
2007232670.tif 000060
【図５９】
2007232670.tif 000061
【図６０】
2007232670.tif 000062
【図６１】
2007232670.tif 000063
【図６２】
2007232670.tif 000064
【図６３】
2007232670.tif 000065
【図６４】
2007232670.tif 000066
【図６５】
2007232670.tif 000067
【図６６】
2007232670.tif 000068
【図６７】
2007232670.tif 000069
【図６８】
2007232670.tif 000070
【図６９】
2007232670.tif 000071
【図７０】
2007232670.tif 000072
【図７１】
2007232670.tif 000073
【図７２】
2007232670.tif 000074
【図７３】
2007232670.tif 000075
【図７４】
2007232670.tif 000076
【図７５】
2007232670.tif 000077
【図７６】
2007232670.tif 000078
【図７７】
2007232670.tif 000079
【図７８】
2007232670.tif 000080
【図７９】
2007232670.tif 000081
【図８０】
2007232670.tif 000082
【図８１】
2007232670.tif 000083
【図８２】
2007232670.tif 000084
【図８３】
2007232670.tif 000085
【図８４】
2007232670.tif 000086
【図８５】
2007232670.tif 000087
【図８６】
2007232670.tif 000088
【図８７】
2007232670.tif 000089
【図８８】
2007232670.tif 000090
【図８９】
2007232670.tif 000091
【図９０】
2007232670.tif 000092
【図９１】
2007232670.tif 000093
【図９２】
2007232670.tif 000094
【図９３】
2007232670.tif 000095